【手続補正書】
【提出日】令和1年6月12日(2019.6.12)
【手続補正１】
【補正対象書類名】明細書
【補正対象項目名】全文
【補正方法】変更
【補正の内容】
【発明の詳細な説明】
【発明の名称】双方向両面電気コネクター
【技術分野】
【０００１】
本発明は双方向両面電気コネクターに関し、特に相補的電気コネクターと対応接続でき、伝送できる双方向両面電気コネクターに関する。
【背景技術】
【０００２】
現在、各種電子製品の機能はますます豊富になっており、しかもポータブルデバイスも徐々に普及している。よって、各種製品或いはデバイス間の信号伝送ニーズもますます多くなっている。その内、各デバイス間の信号伝送は、信号インターフェースにより行われる。信号インターフェースには、例えば電気コネクター或いは／及びそれと対応接続する相補的電気コネクターがある。
その内、電気コネクターは電気レセプタクル（Ｅｌｅｃｔｒｉｃａｌ  ｒｅｃｅｐｔａｃｌｅ）で、相補的電気コネクターは電気プラグ（Ｅｌｅｃｔｒｉｃａｌ  ｐｌｕｇ）である。
【０００３】
電気プラグと電気レセプタクルが対応接続する前には、正しい方向により、電気プラグを電気レセプタクルに向かわせる必要がある。
そうでなければ、両者を対応接続させることはできない。
電気レセプタクルは、挿接方向性を備えるが、それは俗にポカ避け機能と呼ばれる。この機能により、電気プラグ上の連接インターフェースは、電気レセプタクル上の接触端子との接触を確保することができる。
しかし、多数の使用者が、電気プラグを正しい方向で、電気レセプタクルに向かわせる習慣を有していない。
このポカ避け機能は、電気プラグと電気レセプタクルの対応接続の失敗を招き、その後、使用者は、電気プラグを裏返し、そうして初めて正確に対応接続することができる。言い換えれば、このポカ避け機能は反対に使用者の面倒を招いている。
【０００４】
よって、市場には、両面対応接続機能を備える双方向両面電気コネクターが見られる。それは、２組の接触端子を設置し、双方向両面電気コネクターの挿接方向性を列除することができる。
使用者は、任意の方向で、双方向両面電気コネクター相補的電気コネクターとの間の対応接続を行うことができる。
しかし、既存の双方向両面電気コネクターの製造コストは高く、しかもその機能の信頼性は低い。
よって、安定した信頼性を備える双方向両面電気コネクターを開発し、電気コネクターの製造コストを低下させることが、業界の共通の努力目標となっている。
【発明の概要】
【発明が解決しようとする課題】
【０００５】
前記先行技術には、信頼性が不安定で、製造コストが高いという欠点がある。
【課題を解決するための手段】
【０００６】
本発明による双方向両面電気コネクターは、浮動舌板を有し、浮動舌板の上下両側には、相補的電気コネクターと対応接続する上下連接インターフェースを提供し、使用者は便利に使用できる。
【０００７】
本発明による双方向両面電気コネクターの舌板は、異なる厚み或いは突起の設計を備え、舌板の最も厚いところ、或いは突起を有する位置は、対応接続時ショート防止を確保でき、これにより端子インターフェースが相補的電気コネクターの金属ケースに接触することを回避できる。
【０００８】
本発明による双方向両面電気コネクターの舌板と端子インターフェースはそれぞれ自主的に作動し、接触導通及びショート防止機能を確保できる。
【０００９】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は外ケースに包まれ、外ケース中の連接の中段に浮動状に設置され、各連接インターフェースは、一列の接触端子により提供される複数の弾動接点を有し、各列の接触端子の任意の接触端子は、任意の前記弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の弾動接点は、舌板の上下両側にそれぞれ浮動状に設置され、或いは伏せて設置され、２列の接触端子の複数の接触ピンは、絶縁台体外に伸び出す。
【００１０】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は外ケースに包まれ、外ケース中の連接槽を形成し、舌板は、連接槽の中段に上下に移動するように浮動状に設置され、舌板の上板面と下板面は、連接槽中に露出し、及び舌板の上下両側には、弾動接点弾動区をそれぞれ有し、各連接インターフェースは、一列の接触端子により提供される複数の弾動接点を有し、各列の接触端子の任意の接触端子は、任意の前記弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の接触ピンは、絶縁台体外に伸び出し、２列の接触端子の複数の弾動接点は、舌板の２個の弾動接点は、弾動区にそれぞれ陥没状に設置され、しかも複数の弾動接点は、舌板の上板面と下板面より高くない。
【００１１】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は外ケースに包まれ、外ケース中の連接槽を形成し、舌板は、上下に移動するように、連接槽の中段に浮動状に設置され、各２個の連接インターフェースは、一列の接触端子により提供される複数の弾動接点を有し、各列の接触端子の任意の接触端子は、任意の弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の弾動接点は、舌板の上下両側にそれぞれ設置され、２列の接触端子の複数の接触ピンは、絶縁台体外に伸び出し、舌板と複数の弾動接点は、それぞれ自主的に作動する。
【００１２】
本発明による双方向両面電気コネクターは、外ケース、絶縁台体、舌板、前記舌板の上下両側にそれぞれ設置される２個の連接インターフェースを有し、舌板は、絶縁台体の前端に設置され、舌板は前記外ケースに包まれ、外ケース中の連接槽を形成し、舌板は、上下に移動するように、連接槽の中段に浮動状に設置され、各２個の連接インターフェースは、一列の接触端子により提供される複数の弾動接点を有し、各列の接触端子の任意の接触端子は、任意の弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の弾動接点は、舌板の上下両側にそれぞれ浮動状に設置され、或いは伏せて設置され、２列の接触端子の複数の固定部は、絶縁台体中に定位され、２列の接触端子の複数の接触ピンは、絶縁台体外に伸び出す。
【００１３】
本発明による双方向両面電気コネクターは、外ケース、絶縁台体、舌板、舌板の上下両側にそれぞれ設置される２個の連接インターフェース、舌板に連接する少なくとも２個の金属弾片を有し、舌板は、絶縁台体の前端に設置され、舌板は前記外ケースに包まれ、外ケース中の連接槽を形成し、舌板は、上下に移動するように、連接槽の中段に浮動状に設置され、各２個の連接インターフェースは、一列の接触端子により提供される複数の弾動接点を有し、各列の接触端子の任意の接触端子は、任意の前記弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の弾動接点は、舌板の上下両側にそれぞれ設置され、２列の接触端子の複数の接触ピンは、絶縁台体外に伸び出し、複数の金属弾片は、任意の列の接触端子の両外側或いは複数の接触端子の間に定位される。
【００１４】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は外ケースに包まれ、外ケース中の連接槽を形成し、舌板は、上下に移動するように、連接槽の中段に浮動状に設置され、各２個の連接インターフェースは、一列の接触端子により提供される複数の弾動接点を有し、各列の接触端子の任意の接触端子は、任意の前記弾動接点、弾動延伸部、固定部、接触ピンを有し、弾動接点は、弾動延伸部の前端に設置され、しかも導斜面を有し、弾動延伸部と接触ピンは、固定部の前端と後端にそれぞれ設置され、２列の接触端子の複数の接触ピンは、絶縁台体外に伸び出し、２列の接触端子の複数の弾動接点は、舌板の上下両側にそれぞれ設置され、しかも上下に重なる位置関係で、上下に重なる位置関係の２個の弾動接点の２個の導斜面左右にずれた配列を呈する。
【００１５】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は前記外ケースに包まれ、外ケース中の連接槽を形成し、舌板は、連接槽の中段に上下に移動するように浮動状に設置され、舌板の上下両側には、複数の弾動端子槽をそれぞれ設置し、各２個の連接インターフェースは、それぞれ一列の接触端子により提供される複数の弾動接点を有し、各列の接触端子の任意の接触端子は、任意の弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の弾動接点は、舌板の上下両側にそれぞれ設置され、２列の接触端子の複数の接触ピンは、絶縁台体外に伸び出し、任意の弾動端子槽は、任意の弾動接点を収納し、或いはさらに弾動端子槽を有し、隔絶ケージに隔絶される複数の貫通槽を有し、或いは複数の弾動端子槽は、２列の弾動接点を隔絶する複数の絶縁隔板を有する。
【００１６】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は外ケースに包まれ、外ケース中の連接槽を形成し、舌板は、上下に移動するように、連接槽の中段に浮動状に設置され、各２個の連接インターフェースは、一列の接触端子により提供される複数の弾動接点を有し、各列の接触端子の任意の接触端子は、任意の弾動接点、弾動延伸部、固定部、接触ピンを有し、弾動接点は、弾動延伸部の前端に設置され、弾動延伸部と接触ピンは、固定部の前端と後端にそれぞれ設置され、２列の接触端子の複数の弾動接点は、舌板の上下両側にそれぞれ設置され、２列の接触端子の複数の接触ピンは、絶縁台体外に伸び出し、絶縁台体の前縁には、少なくとも１個の中段サポート絶縁構造を設置し、中段サポート絶縁構造と任意の弾動延伸部とは、上下に重なる位置関係を形成し、或いは任意の弾動延伸部は、中段サポート段を有し、絶縁台体外に露出し、或いは任意の弾動延伸部は、中段サポート段を有し、絶縁台体外に露出し、しかも絶縁台体の前縁の中段サポート絶縁構造と、上下に重なる位置関係を形成する。
【００１７】
本発明による双方向両面電気コネクターは、外ケース、絶縁台体、舌板、舌板の上下両側にそれぞれ設置される２個の連接インターフェースを有し、舌板は、絶縁台体の前端に設置され、舌板は外ケースに包まれ、外ケース中の連接槽を形成し、舌板は、連接の中段に上下に移動するように浮動状に設置され、舌板は、水滴型構造或いは前段が厚く、しかも後段が徐々に縮小する構造である板体を有し、各２個の連接インターフェースは、一列の接触端子により提供される複数の弾動接点を有し、各列の接触端子の任意の接触端子は、任意の弾動接点、弾動延伸部、固定部、接触ピンを有し、弾動接点は、弾動延伸部の前に設置され、弾動延伸部と接触ピンは、固定部の前端と後端にそれぞれ設置され、２列の接触端子の複数の接触ピンは、絶縁台体外に伸び出し、２列の接触端子の複数の弾動接点は、舌板の上下両側にそれぞれ浮動状に設置され、或いは伏せて設置され、しかも前記板体上の前記水滴型構造或いは前記前段近くに設置される。
【００１８】
本発明は双方向両面電気コネクターの電気レセプタクルを提供し、２個の連接インターフェースは、ＵＳＢ  Ａ  ＴＹＰＥ  ２．０規範或いはＵＳＢ  Ａ  ＴＹＰＥ  ３．０規範或いはＵＳＢ  Ａ  ＴＹＰＥ  ３．１規範に符合し、しかも２列の接触ピンは単列に交差する２列、或いは前後に重なる２列の配列方式で、絶縁台体外に伸び出す。
【００１９】
本発明は双方向両面電気コネクターの電気レセプタクルを提供し、複数の固定部は、前記絶縁台体中に埋設或いは組み立てて定位される。
【００２０】
本発明は双方向両面電気コネクターの電気レセプタクルを提供し、舌板と絶縁台体の間には、中空区が存在し、２列の接触端子の複数の弾動延伸部は、中空区に設置される。
【００２１】
本発明は双方向両面電気コネクターの電気レセプタクルを提供し、舌板前端と連接槽の挿入口の距離は、ＵＳＢ協会ＵＳＢ２．０  Ａ  ＴＹＰＥメス台の標準規範より大きい。
【００２２】
本発明は双方向両面電気コネクターの電気レセプタクルを提供し、２列の接触端子は回路シリアル番号に基づき、反対方向に配列し、回路シリアル番号は、電源、信号Ｄ＋、信号Ｄ-、接地を含む。
【００２３】
本発明は双方向両面電気コネクターの電気レセプタクルを提供し、舌板の上下両側に設置され、ＵＳＢ  Ａ  ＴＹＰＥ  ３．０規範或いはＵＳＢ  Ａ  ＴＹＰＥ  ３．１規範に符合する２列のフラット端子をさらに有し、２個の連接インターフェースは、ＵＳＢ  Ａ  ＴＹＰＥ  ２．０規範に符合し、２列のフラット端子の複数の固定接点は、舌板の上下表面に固定され、しかも露出し、しかも２列のフラット端子は、舌板と絶縁台体に連接され、舌板と絶縁台体は分離式で、２列のフラット端子の延伸部は、舌板と絶縁台体間に設置される弾動延伸部である。
【００２４】
本発明は双方向両面電気コネクターの電気レセプタクルを提供し、舌板の上下両側に設置され、ＵＳＢ  Ａ  ＴＹＰＥ  ３．０規範或いはＵＳＢ  Ａ  ＴＹＰＥ  ３．１規範に符合する２列のフラット端子をさらに有し、２個の連接インターフェースは、ＵＳＢ  Ａ  ＴＹＰＥ  ２．０規範に符合し、２列のフラット端子は、舌板と絶縁台体に連接し、舌板と絶縁台体は分離式で、２列のフラット端子の延伸部は、舌板と絶縁台体間に設置される弾動延伸部である。
【００２５】
本発明による双方向ＵＳＢ３．０接触インターフェース電気コネクターは、絶縁台体、舌板を有し、記舌板は、絶縁台体前端に設置され、舌板は外ケースに包まれ、連接槽を形成し、舌板は、上下に移動するように、連接槽中段に浮動状に設置され、舌板上下両側には、各一列の接触端子連接インターフェースを設置し、電気コネクターに正／反対の双方向で対応接続でき、舌板の正／反対両面の上下２列のフラット接触端子と舌板は埋設射出成形され、しかも上下２列のフラット接触端子は各５個の平面接触部で、中央は接地端子で、両側は２対の信号端子で、しかもフラット接触部後方に設置する４個の弾動接触部はＵＳＢ３．０接触インターフェースである。
【００２６】
本発明による双方向ＵＳＢ３．０接触インターフェース電気コネクターは、絶縁台体、舌板を有し、舌板は、絶縁台体前端に設置され、舌板は外ケースに包まれ、連接槽を形成し、舌板は、上下に移動するように、連接槽中段に浮動状に設置され、舌板上下両側には、各一列の接触端子連接インターフェースを設置し、電気コネクターに正／反対の双方向で対応接続でき、上下２列のフラット接触端子は各５個の平面接触部で、中央は接地端子で、両側は２対の信号端子で、しかも複数のフラット接触部後方に設置する４個の弾動接触部はＵＳＢ３．０接触インターフェースで、上下２列のフラット接触端子の両側の信号端子は、舌板のフラット接触部と弾動接触部間の横方向の隔絶ケージ構造において屈折し隣り合い埋設される。
【００２７】
本発明による双方向両面電気コネクターの２列の接触端子を製造する方法は、二枚の金属材から前記２列の接触端子をそれぞれカッティングし、或いは単一の金属材から２列の接触端子をカッティングする。
【００２８】
本発明による双方向両面電気コネクターは、
ａ．上下が相同で、しかも相対して揃う弾動接触インターフェースである。
ｂ．前記浮動舌板上下両側の弾動接点は、前記浮動舌板に、浮動状に設置或いは伏せて設置或いは陥没状に設置する。
ｃ．前記２列の接触端子の固定部は、前記絶縁台体中に埋設或いは組み立てられて定位される。
ｄ．双方向両面ＵＳＢ  Ａ  ＴＹＰＥメス台のメス台の上下信号接触端子の接触部及び延伸部は、前記接地及び電源接触端子の幅より狭い。
ｅ．さらに対応接続電気コネクターを設置し、前記対応接続電気コネクターには連接板を設置し、前記連接板の少なくとも１個の面には、少なくとも１列の接触端子連接インターフェースを設置し、前記対応接続電気コネクターが対応接続挿入する時、前記対応接続電気コネクターの連接板は、前記連槽中段に浮動状に設置される浮動舌板を押して上下に偏移させ、これにより前記浮動舌板上下両側の内の片側に浮動状に設置される弾動接点は、前記相対偏移する浮動舌板面に突出して露出し、弾動接点は突出し高度差を呈し、これにより前記突出した弾動接点と対応接続して挿入する連接インターフェースは、弾性で押されて電気的に連接する。
ｆ．さらに対応接続電気コネクターを設置し、前記対応接続電気コネクターには連接板を設置し、前記連接板の少なくとも１個の面には、少なくとも１列の接触端子連接インターフェースを設置し、前記対応接続電気コネクターが対応接続挿入する時、前記対応接続電気コネクターの連接板は、前記連槽中段に浮動状に設置される浮動舌板を押して上下に偏移させ、これにより前記浮動舌板上下両側の内の片側に浮動状に設置される弾動接点は前記相対偏移する浮動舌板面に内縮して陥没し、弾動接点は陥没して高度差を呈し、これにより前記対応接続電気コネクターの連接槽金属殼と前記浮動舌板面に内縮して陥没する前記弾動接点は、安全な間隔距離を保持し接触しない。
ｇ．前記浮動舌板には複数の弾動端子槽を設置し、前記各弾動端子槽は前記上接触端子及び前記下接触端子に対応し、前記弾動端子槽には、相互に対応する前記上接触端子及び前記下接触端子の一部分を收納し、しかも前記複数の上接触端子及び前記複数の下接触端子が、垂直方向に沿ってのみスイングするように制限する。
ｈ．浮動舌板と基台は分離式で、中空部に設置する金属弾片は弾動部である。
ｉ．前記絶縁基部前段には前記上下２個の延伸弾動部が接触する絶縁中段サポート構造を一体に設有する。
ｊ．上下２列の弾動接触部は、前記浮動舌板の上下２個の板面より高くない。
ｋ．前記浮動舌板両側には、相対して重なる２個の上下弾動接点を設置し、前記上下弾動接点の２個の導斜面は左右に交差し、左右の位置がずれた配列構造である。
ｌ．前記浮動舌板は上下弾動区間に上下接触部が左右にずれた貫通槽或いは分隔板構造を設置する。
ｍ．前記上下列のＤ＋及びＤ-接触端子の延伸部は、前記接地及び電源接触端子の幅サイズより狭い。
ｎ．前記浮動舌板の上下２面には、水滴矢印型の防ショート絶縁構造を設置する。
ｏ．前記双方向コネクターはＡ  ＴＹＰＥ  ＵＳＢ  ２．０／３．０／３．１接触インターフェースのレセプタクルである。
ｐ．前記双方向コネクターはＡ  ＴＹＰＥ  ＵＳＢ  ２．０／３．０／３．１接触インターフェースのレセプタクルで、その上下フラット高度差分端子組の弾動延伸部は、浮動舌板と基台間の中空区に設置される。
ｑ．前記上下２列の接触端子のフラット高度差分端子組の延伸部は、絶縁の浮動舌板と基台に隣り合って配列され埋設される。
ｒ．前記浮動舌板正／反対両面の上下２列のＵＳＢ３．０接触インターフェースは、それぞれＲＸ＋，ＲＸ-，ＧＮＤ，ＴＸ＋，ＴＸ-５個の平面接触部と電源で、信号はＤ＋，Ｄ-で、及び接地は４個の弾動接触部である。
ｓ．前記浮動舌板正／反対両面の上下２列のフラット接触端子と絶縁舌板は一次埋設され、前記浮動舌板正／反対両面の上下２面の前記舌板の５個のフラット接触部と４個の弾動接触部の間には、横方向隔絶ケージ構造を設置する。
ｔ．前記浮動舌板正／反対両面の上下２列のフラット接触端子と絶縁舌板は一次埋設で、前記上下２面のフラット接触端子の両側の信号端子は、前記舌板において、屈折し隣り合い埋設される。
ｕ．前記正／反対両面電気コネクターのメスコネクターは水平式、側立式、直立式或いはスタッキング層或いは異なる連接インターフェースを重ねた構造で、しかも２列或いは１列の水平接触ピン或いは前後２列で前列が水平で後列が垂直な挿入ピンである。
ｖ．前記正／反対両面電連接オス台或いはメス台は、ＨＵＢ拡張器或いは充電バンク／充電器／モバイルバッテリー或いはポータブルディスク／Ｕテーブル／Ｑ１０／モバイルハードディスク等のアダプターデバイス或いは他の電子デバイスに応用できる。
【００２９】
本発明による双方向両面電気コネクターは、それぞれ自主的に作動する舌板、該舌板の上下両側に２列に設置される弾動接点を有する。
２列の接触端子は該２列の弾動接点を提供し、絶縁台体に定位し、舌板は絶縁台体に相対し上下に移動するように浮動する。
該複数の弾動接点は該舌板上下両側にそれぞれ浮動状に設置、伏せて設置、或いは埋設される。
【発明の効果】
【００３０】
本発明による双方向両面電気コネクターは、少なくとも以下の構造上の特徴を有するが、本発明は以下の構造特徴に制限されるものではなく、しかも本技術領域における普通の技術人員は均等変化或いは設計を行うことができる。
１.偏移する浮動舌板と相対して定位される弾動接点により、弾動接点は突出し、浮動舌板面の弾動接点高さの差を形成する。
２.上下２列の接触端子の弾動接点は、浮動舌板上下両側弾動接点の弾動区に陥没状に設置される。
３.浮動舌板の厚みはＵＳＢ協会ＵＳＢ２．０ＡＴＹＰＥメス台の標準１．８４ｍｍ  ±  ０．０５ｍｍ規範で、双方向コネクターの連接槽の高さと幅はＵＳＢ協会ＵＳＢ２．０  Ａ  ＴＹＰＥメス台の標準規範である。
４.２列の接触端子の弾動延伸部には中段サポート段を設置し、或いは絶縁台体前段には端子弾動延伸部の中段サポート絶縁凹槽構造を設置する。
５.浮動舌板上下両側には弾動接点の弾動端子槽を設置する。
６.浮動舌板は、上下の接触端子の間に絶縁隔板を設置し、上下２列の弾動接点を浮動舌板両側の弾動接点弾動区に埋設或いは伏せて設置或いは陥没状に設置する。
７.浮動舌板の上下両面には、４個の等しい長さの弾動接点の弾動端子槽をそれぞれ設置する。
８.浮動舌板の金属弾片は、第二と第三接触端子の間と両側の接触端子の外側に設置し、或いは浮動舌板の金属弾片は、舌板の中央と両外側に設置する。
９.双方向コネクターの上下２列の接触端子の接触ピンは前後２列或いは１列である。
１０.浮動舌板前端と挿入口の距離は、ＵＳＢ協会ＵＳＢ２．０  Ａ  ＴＹＰＥメス台の標準規範より大きく、つまり浮動舌板の長さは協会標準より短く、即ち浮動舌板は協会標準に比べ挿入口前端に内縮する。
１１.浮動舌板は水滴型或いは前段が厚く、しかも後段が徐々に縮小する構造を呈し、つまり浮動舌板の後段はテーパ型構造である。
１２.浮動舌板の上下両側には弾動接点の弾動端子槽を設置し、弾動端子槽内には貫通槽設置し、隔絶ケージを設置する。
１３.上下２列の接触インターフェースは上下に重なり、上下弾動接点の２個の導斜面は左右に交差し、左と右にずれた配列構造で、上下端子の誤触によるショートを確実に回避できる。
１４.舌板と接点はそれぞれ自主的に作動する。いわゆる「それぞれ自主的に作動」とは、接触端子の固定部が舌板に固定されていないため、舌板といっしょに浮動作動せず、こうして舌板と接点とはそれぞれ自主的に作動する、ということである。
【図面の簡単な説明】
【００３１】
【図１】本発明による双方向両面電気コネクターの第一実施形態の局部構造分解模式図である。
【図２】本発明による双方向両面電気コネクターの第一実施形態の局部構造俯視模式図である。
【図３】本発明による双方向両面電気コネクターの第一実施形態の局部構造断面模式図である。
【図４】本発明による双方向両面電気コネクターの第一実施形態の構造分解模式図である。
【図５】本発明による双方向両面電気コネクターの第一実施形態の各種視角の内の１個の構造模式図である。
【図６】本発明による双方向両面電気コネクターの第一実施形態の各種視角の内の１個の構造模式図である。
【図７】本発明による双方向両面電気コネクターの第一実施形態の各種視角の内の１個の構造模式図である。
【図８】本発明による双方向両面電気コネクターの第一実施形態の各種視角の内の１個の構造模式図である。
【図９】本発明による双方向両面電気コネクターの第一実施形態の構造断面模式図である。
【図１０】本発明による双方向両面電気コネクターの第一実施形態相補的電気コネクターとの対応接続過程前期の構造断面模式図である。
【図１１】本発明による双方向両面電気コネクターの第一実施形態相補的電気コネクターとの対応接続過程中期の構造断面模式図である。
【図１２】本発明による双方向両面電気コネクターの第一実施形態相補的電気コネクターとの対応接続過程後期の構造断面模式図である。
【図１３】図１２の中段サポート構造に近い部分の構造拡大模式図である。
【図１４】本発明による双方向両面電気コネクターの第二実施形態中において回路基板に溶接する構造前視模式図である。
【図１５】本発明による双方向両面電気コネクターの第二実施形態中において回路基板に溶接する側視立体模式図である。
【図１６】本発明による双方向両面電気コネクターの第三実施形態中の構造断面俯視模式図である。
【図１７】本発明による双方向両面電気コネクターの第三実施形態中の構造前視模式図である。
【図１８】本発明による双方向両面電気コネクターの第三実施形態中の構造断面模式図である。
【図１９】本発明による双方向両面電気コネクターの第四実施形態中の構造断面俯視模式図である。
【図２０】本発明による双方向両面電気コネクターの第四実施形態中の構造断面模式図である。
【図２１】本発明による双方向両面電気コネクターの異なる製造プロセスを利用して成形する構造模式図である。
【図２２】本発明による双方向両面電気コネクターの異なる製造プロセスを利用して成形する構造模式図である。
【図２３】本発明による双方向両面電気コネクターの異なる製造プロセスを利用して成形する構造模式図である。
【図２４】本発明による双方向両面電気コネクターの異なる製造プロセスを利用して成形する構造模式図である。
【図２５】本発明による双方向両面電気コネクターの異なる製造プロセスを利用して成形する構造模式図である。
【図２６】本発明による双方向両面電気コネクターをノート型パソコンに応用する構造模式図である。
【図２７】本発明による双方向両面電気コネクターをタブレットＰＣに応用する構造模式図である。
【図２８】本発明による双方向両面電気コネクターを延長コード双方向レセプタクルに応用する構造模式図である。
【図２９】本発明による双方向両面電気コネクターをＨｕｂ拡張器に応用する構造模式図である。
【図３０】本発明による双方向両面電気コネクターを家庭用スイッチレセプタクル／充電台に応用する構造模式図である。
【図３１】本発明による双方向両面電気コネクターを車載充電器に応用する構造模式図である。
【図３２】本発明による双方向両面電気コネクターをモバイルバッテリーに応用する構造模式図である。
【図３３】本発明による双方向両面電気コネクターをアダプターケーブルに応用する視角の内の１個の模式図である。
【図３４】本発明による双方向両面電気コネクターをアダプターケーブルに応用する視角の内の１個の模式図である。
【図３５】本発明による双方向両面電気コネクターを重ねる電気コネクターのメスコネクターに応用する構造模式図である。
【図３６】本発明による双方向両面電気コネクターを重ねる電気コネクターのメスコネクターに応用する構造模式図である。
【図３７】本発明による双方向両面電気コネクターを重ねる電気コネクターのメスコネクターに応用する構造模式図である。
【図３８】本発明による双方向両面電気コネクターを重ねる電気コネクターのメスコネクターに応用する構造模式図である。
【図３９】本発明による双方向両面電気コネクターを高架型電気コネクターのメスコネクターに応用する構造模式図である。
【図４０】本発明による双方向両面電気コネクターを重ねる高架型電気コネクターのメスコネクターに応用する構造模式図である。
【図４１】本発明による双方向両面電気コネクターが第五実施形態中で、相補的電気コネクターと正方向に対応接続する過程前期の構造断面模式図である。
【図４２】本発明による双方向両面電気コネクターが第五実施形態で、相補的電気コネクターと正方向に対応接続する過程中期の構造断面模式図である。
【図４３】本発明による双方向両面電気コネクターが第五実施形態において、相補的電気コネクターと正方向に対応接続する過程後期の構造断面模式図である。
【図４４】本発明による双方向両面電気コネクターの第六実施形態中の構造分解模式図である。
【図４５】本発明による双方向両面電気コネクターの第七実施形態中の構造分解模式図である。
【図４６】本発明による双方向両面電気コネクターの第七実施形態中の上列接触端子の俯視模式図である。
【図４７】本発明による双方向両面電気コネクターの第七実施形態中の下列端子の俯視模式図である。
【図４８】本発明による双方向両面電気コネクターの第七実施形態中の舌板組み立て構造の俯視模式図である。
【図４９】本発明による双方向両面電気コネクターの第七実施形態中の舌板組み立て構造のもう１個の俯視模式図である。
【図５０】本発明による双方向両面電気コネクターの第七実施形態中の上列接触端子と下列端子が一体に重なる俯視模式図である。
【図５１】本発明による双方向両面電気コネクターの第七実施形態中の上列接触端子と下列端子が一体に重なる前視模式図である。
【図５２】本発明による双方向両面電気コネクターを有するアダプターの異なる視角図の一である。
【図５３】本発明による双方向両面電気コネクターを有するアダプターの異なる視角図の一である。
【発明を実施するための形態】
【実施例】
【００３２】
本発明中で言う双方向両面電気コネクターは、多くは電気レセプタクルを例として説明するが、双方向両面電気コネクターは電気レセプタクルに限定するものではない。
応用上、双方向両面電気コネクターは電気プラグとすることができ、この時、それと対応接続する相補的電気コネクターは電気レセプタクルである。
即ち、双方向両面電気コネクターが電気レセプタクルである時、相補的電気コネクターは電気プラグである。
反対に、双方向両面電気コネクターが電気プラグである時、相補的電気コネクターは電気レセプタクルである。
【００３３】
以下に掲示する本発明の連接インターフェースは主に、相補的電気コネクターと対応接続する時に広く或いは接近する一面に用いられ、それは相補的電気コネクターと電気的に連接する導電接触構造及び導電接触構造周囲の絶縁表面を含む。
双方向両面電気コネクターが舌板を有する例において、連接インターフェースは、舌板の任意の板面、板面と近接する接触端子の対応接続接触面、接触段或いは接触点を含む。
【００３４】
次に、説明の便のため、Ｘ、Ｙ、Ｚ直角坐標システムにより、本発明の双方向両面電気コネクターを説明する。
全体外観から見れば、双方向両面電気コネクターは相対的に比較的大きい面積の平面であるＸ-Ｙ平面を占め、Ｘ-Ｙ平面と垂直なのはＺ軸である。
また、相補的電気コネクターと対応接続する過程において、平行な両者が接近移動する方向はＹ軸と定義される。
よって、本発明の双方向両面電気コネクターにおいて、以下に言う上側或いは下側とは、主に、Ｘ-Ｙ平面を主とする参考体に対して、異なるＺ軸高さの面或いは側を指し、以下に言う左側或いは右側とは、主に、Ｘ-Ｙ平面上の異なるＸ軸台標値位置を指し、以下に言う前端とは、相補的電気コネクターと対応接続過程中において、最も速い相補的電気コネクターと交互作用の位置を指す。
【００３５】
図１〜図４はそれぞれ本発明による双方向両面電気コネクターの第一実施形態の局部構造分解模式図、局部構造俯視模式図、局部構造断面模式図、構造分解模式図である。
図１〜図４に示す通り、双方向両面電気コネクター１は、例えば、ＵＳＢ２．０ＡＴＹＰＥの電気レセプタクルで、絶縁台体１１、浮動舌板１２、複数の上列接触端子１３ａ、１３ｂ、１３ｃ、１３ｄ（１３ａ〜１３ｄ）、複数の下列端子１４ａ、１４ｂ、１４ｃ、１４ｄ（１４ａ〜１４ｄ）及び外ケース１５を有する。
第一実施形態中において、絶縁台体１１は、絶縁基台１１１、上定位絶縁台１１２及び下定位絶縁台１１３を有する。
絶縁基台１１１は、絶縁基台１１１の上下両側に設置する複数の中段サポート構造１１１１を有する。
図中では、上方側の若干の中段サポート構造１１１１のみを掲示する。
次に、上定位絶縁台１１２及び下定位絶縁台１１３は共同で、上列接触端子１３ａ〜１３ｄの部分セクション及び下列端子１４ａ〜１４ｄの部分セクションを、絶縁基台１１１上に固定する。
浮動舌板１２は、板体１２１及び複数の弾性片１２２を有し、板体１２１と絶縁基台１１１の間には、中空区１８が存在する。
板体１２１は、絶縁基台１１１の前端に設置され、しかも複数の弾性片１２２を通して絶縁基台１１１に連接される。
次に、板体１２１の上下両側には、それぞれ上列接触端子１３ａ〜１３ｄと下列端子１４ａ〜１４ｄに対応する複数の弾動端子槽１２１１を有する。
任意の弾動端子槽１２１１には、任意の接触端子（任意の上列接触端子１３ａ〜１３ｄ或いは任意の下列端子１４ａ〜１４ｄ）の部分セクションを収容できる。
【００３６】
図１〜図４に示す通り、上列接触端子１３ａ〜１３ｄは、浮動舌板１２の片側（上側）に設置される。
説明の便のため、上列接触端子１３ａ〜１３ｄには、一組の回路シリアル番号を割り振る。
例えば、上列接触端子１３ａに割り振られる回路シリアル番号はａで、上列接触端子１３ｂに割り振られる回路シリアル番号はｂで、上列接触端子１３ｃに割り振られる回路シリアル番号はｃで、上列接触端子１３ｄに割り振られる回路シリアル番号はｄである。
次に、上列接触端子１３ａは、上弾動接点１３１ａ、上弾動延伸部１３２ａ、上固定部１３３ａ、上接触ピン１３４ａ、及び端子とプラスチックが前後定位する定位構造１３５ａを有する。
上弾動接点１３１ａは、上導斜面１３１１ａを有する。
他の上列接触端子１３ｂ〜１３ｄの構造は、上列接触端子１３ａと相同であるが、その差は以下の通りである。
第一実施形態中において、上導斜面１３１１ａの方向と上列接触端子１３ｂの上導斜面１３１１ｂの方向とは相同である（双方向両面電気コネクター１の絶縁台体１１が、浮動舌板１２へ向かう方向を右側寄りとする）が、上列接触端子１３ｃ、１３ｄの上導斜面１３１１ｃ、１３１１ｄの方向（左側寄り）とは異なる（図２参照）。
【００３７】
上記に類似し、下列端子１４ａ〜１４ｄは、浮動舌板１２の反対側に設置され、それにも回路シリアル番号が割り振られる。
下列端子１４ａが割り振られる回路シリアル番号はａで、下列端子１４ｂが割り振られる回路シリアル番号はｂで、下列端子１４ｃが割り振られる回路シリアル番号はｃで、及び下列端子１４ｄが割り振られる回路シリアル番号はｄである。
下列端子１４ａは、下弾動接点１４１ａ、下弾動延伸部１４２ａ、下固定部１４３ａ及び下接触ピン１４４ａを有し、しかも下弾動接点１４１ａは、下導斜面１４１１ａを有する。
他の下列端子１４ｂ〜１４ｄの構造と下列端子１４ａとは相同であるが、異なる点は以下の通りである。
下導斜面１４１１ａの方向と下列端子１４ｂの下導斜面１４１１ｂの方向とは相同であるが、下列端子１４ｃ、１４ｄの下導斜面１４１１ｃ、１４１１ｄの方向とは異なる（図２参照）。
【００３８】
図４に示す通り、弾性片１２２は、２列の接触端子の第二接触端子（即ち上列接触端子１３ｂ或いは下列端子１４ｂ）及び第三接触端子（即ち上列接触端子１３ｃ或いは下列端子１４ｃ）の間に設置される。
或いは、弾性片１２２は、２列の接触端子中の最も外側の接触端子（即ち上列接触端子１３ａ及び１３ｄ或いは下列端子１４ａ或いは１４ｄ）の外側に設置される。
言い換えれば、複数の弾性片１２２は、浮動舌板１２の中央及び両外側位置に設置される。
上記に基づき、本発明の弾性片１２２は、板体１２１を、絶縁基台１１１の前端に連接し、しかも弾性片１２２の弾性を利用し、板体１２１は、上下にスイングし、相補的電気コネクターに対応接続する。
よって、弾性片１２２の位置、幾何形状と数量は、図４の図示に限定されず、板体１２１の弾性スイングと接触端子の作動を実現できれば良い。
【００３９】
図２、図４に示す通り、複数の弾性片１２２の部分セクションは、板体１２１及び絶縁台体１１の外に露出する。
複数の弾性片１２２は弾性を備えるため、複数の弾性片１２２に連接する板体１２１は、弾動し、上下偏移できる。
本実施形態中において、複数の弾性片１２２は、金属材料により製造される。
複数の上弾動接点１３１ａ〜１３１ｄ、複数の上弾動延伸部１３２ａ〜１３２ｄ、複数の下弾動接点１４１ａ〜１４１ｄ及び下弾動延伸部１４２ａ〜１４２ｄは、相互に対応する弾動端子槽１２１１中に収容される。
上弾動接点１３１ａと上弾動延伸部１３２ａはそれぞれ下弾動接点１４１ｄ及び下弾動延伸部１４２ｄと、同一の弾動端子槽１２１１中に位置する。
それに類似し、上弾動接点１３１ｂ及び上弾動延伸部１３２ｂはそれぞれ、下弾動接点１４１ｃ及び下弾動延伸部１４２ｃと、同一の弾動端子槽１２１１中に位置し、上弾動接点１３１ｃ及び上弾動延伸部１３２ｃは、下弾動接点１４１ｂ及び下弾動延伸部１４２ｂと、同一の弾動端子槽１２１１中に位置し、上弾動接点１３１ｄ及び上弾動延伸部１３２ｄは、下弾動接点１４１ａ及び下弾動延伸部１４２ａと同一の弾動端子槽１２１１中に位置する。
同一の弾動端子槽１２１１中に位置する上導斜面と下導斜面の方向は異なり、例えば、上導斜面と下導斜面の方向は相互に交差する。
【００４０】
図９は、第一実施形態中の構造断面模式図である。
図３、図９に示す通り、複数の上弾動接点１３１ａ〜１３１ｄ、複数の上弾動延伸部１３２ａ〜１３２ｄ、複数の下弾動接点１４１ａ〜１４１ｄ及び下弾動延伸部１４２ａ〜１４２ｄは、相互に対応する弾動端子槽１２１１中に収容される。
複数の上弾動接点１３１ａ〜１３１ｄの高さは、板体１２１の上表面より低く、しかも複数の下弾動接点１４１ａ〜１４１ｄの高さは、板体１２１の下表面より高い。
言い換えれば、複数の上弾動接点１３１ａ〜１３１ｄ及び複数の下弾動接点１４１ａ〜１４１ｄは板体１２１内に収容される。
【００４１】
さらに、図４に示す通り、上列接触端子１３ｂ〜１３ｄは、第一配列順序で配列される。
即ち、図４中の右から左（双方向両面電気コネクター１の絶縁台体１１から浮動舌板１２方向へ）へ順番に、上列接触端子１３ａ、上列接触端子１３ｂ、上列接触端子１３ｃ及び上列接触端子１３ｄである。
下列端子１４ａ〜１４ｄは、第二配列順序で配列される。
即ち図４中の右から左へ、順番に下列端子１４ｄ、下列端子１４ｃ、下列端子１４ｂ及び下列端子１４ａである。
簡単に言えば、舌板１２上下両側に設置する接触端子は、回路シリアル番号に反対に配列する。
さらに、上列接触端子１３ａ〜１３ｄと下列端子１４ａ〜１４ｄはそれぞれ、単一の金属材料により製造され、しかも二枚の金属材料は上下に重なり、これにより上列接触端子１３ａ〜１３ｄと下列端子１４ａ〜１４ｄとは相対して重なる。
つまり、上列接触端子１３ａ〜１３ｄ及び下列端子１４ａ〜１４ｄは、二枚の金属材料により製造される。
【００４２】
図５、６、７、８は第一実施形態中の各種視角の構造模式図である。
図５〜８に示す通り、双方向両面電気コネクター１は順番に組み立てを行う。
複数の上列接触端子１３ａ〜１３ｄ及び複数の下列端子１４ａ〜１４ｄを、絶縁基台１１１の複数の中段サポート構造１１１１に寄せる。
上定位絶縁台１１２及び下定位絶縁台１１３を利用し、複数の上列接触端子１３ａ〜１３ｄ及び複数の下列端子１４ａ〜１４ｄを、舌板１２内部に固定する。
外ケース１５を絶縁台体１１上に被せて設置し、双方向両面電気コネクター１の組み立てを完成する。
外ケース１５は、四面で浮動舌板１２を覆う。
外ケース１５の開口には、それぞれ上連接槽１６１及び下連接槽１６２を形成し、しかも浮動舌板１２は、複数の弾性片１２２の構造に応じて、上連接槽１６１及び下連接槽１６２の中段において、上下に偏移する。
これにより、双方向両面電気コネクター１は、相補的電気コネクターと両面対応接続が可能となる。
図６に示す通り、双方向両面電気コネクター１の上列接触端子１３ａ〜１３ｄと下列端子の接触ピン（図中では、上接触ピン１３４ａと下接触ピン１４４ａを示す）は単一配列方式で、これら単列接触ピンを利用し、双方向両面電気コネクター１を回路基板（図示なし）上に溶接する。
【００４３】
さらに、浮動舌板１２の厚みサイズは、ＵＳＢ協会ＵＳＢ２．０ＡＴＹＰＥメス台の標準１．８４ｍｍ±０．０５ｍｍの規範に符合する。
双方向両面コネクター１の連接槽１６１及び１６２の高さ及び幅は、ＵＳＢ協会ＵＳＢ２．０  Ａ  ＴＹＰＥメス台の標準規範に符合する。
前記２列の接触端子は、回路シリアル番号に従って逆に配置され、前記回路シリアル番号は、電源、信号Ｄ ＋、信号Ｄ≡、および接地を含み、ＵＳＢ協会ＵＳＢ２．０の規範に符合する。
【００４４】
図９に示す通り、浮動舌板１２はさらに、絶縁隔板１２３を有し、上列接触端子１３ｂ〜１３ｄ及び下列端子１４ａ〜１４ｄを浮動舌板１２上下両側の弾動接点弾動区に埋設（或いは伏せて設置或いは陥没状設置と別称）し、しかも絶縁隔板１２３は、上列接触端子１３ｂ〜１３ｄ及び下列端子１４ａ〜１４ｄを隔絶する。
各弾動端子槽１２１１には、貫通槽１２１２を設置し、しかも絶縁隔板１２３により隔絶され、複数の上弾動接点１３１ａ〜１３１ｄ及び複数の下弾動接点１４１ａ〜１４１ｄを収納する。
いわゆる弾動接点弾動区とは、浮動舌板１２中で複数の弾動端子槽１２１１と複数の貫通槽１２１２を含む区域を指す。
別種の実施形態中において、各弾動端子槽内には、２個の貫通槽を設置する。
浮動舌板１２の板体１２１は、水滴型或いは前段が厚く、しかも後段が徐々に縮小する構造を呈する。
即ちその後段はテーパ型構造である。
このような水滴型の形状により、双方向両面電気コネクター１が相補的電気コネクターと対応接続する時に、接触端子が金属ケースに接触しショートすることを回避できる。
さらに、浮動舌板１２の板体１２１前端と挿入口の距離は、ＵＳＢ協会ＵＳＢ２．０  Ａ  ＴＹＰＥメス台の標準規範より大きい。
即ち、浮動舌板１２の板体１２１の長さは協会標準より短いか、或いは浮動舌板１２は協会標準より挿入口前縁に収縮する。
このような設計により、対応接続過程における不当施力による接触端子の破壊を回避できる。
【００４５】
双方向両面電気コネクター１が相補的電気コネクター１０と、対応接続する作動状況について説明する。
図１０、１１、１２はそれぞれ、第一実施形態の双方向両面電気コネクターが相補的電気コネクターと対応接続する過程の構造断面模式図で、図１３は図１２の中段サポート構造１１１１に接近する部分の構造拡大模式図である。
図１０に示す通り、相補的電気コネクター１０は、連接板１０１、連接板１０１表面上に設置される複数の連接インターフェース１０２を有する。
この時、相補的電気コネクター１０は、双方向両面電気コネクター１に対応するだけで、まだ対応接続していない。
図１１に示す通り、相補的電気コネクター１０は、連接槽の前縁より徐々に双方向両面電気コネクター１に進入する。
連接板１０１は、上連接槽１６１及び下連接槽１６２中段の浮動舌板１２に押されて浮動するように設置され、これにより上方へと偏移する。
この時、絶縁台体１１に定位され、しかも浮動舌板１２の上下両側に分かれて配列される上弾動接点１３１ａ〜１３１ｄ及び下弾動接点１４１ａ〜１４１ｄは、それぞれ浮動舌板１２が生じる上偏移に応じて、相対的な位置差を生じる。
即ち、浮動舌板１２の下表面に突出する下弾動接点１４１ａ〜１４１ｄと浮動舌板１２の下表面とは、高さの差を生じる。
【００４６】
連接板１０１を押し入れることで、複数の弾性片１２２は湾曲屈折し、板体１２１は上方へと偏移し、一部が相補的電気コネクター１０の連接槽１０４中に進入する。
同時に、板体１２１の上偏により、下弾動接点１４１ａ〜１４１ｄは、複数の弾動端子槽１２１１中に收納されず、浮動舌板１２の外に露出する。
一方、板体１２１反対側に位置する上弾動接点１３１ａ〜１３１ｄは、板体１２１の上偏移により、複数の弾動端子槽１２１１中にさらに進入し、複数の弾動端子槽１２１１の深い場所に位置する。
次に、上弾動延伸部１３２ａ、１３２ｂ、１３２ｃ、１３２ｄと下弾動延伸部１４２ａ、１４２ｂ、１４２ｃ、１４２ｄはそれぞれ、絶縁台体１１の中段サポート構造１１１１のセクションに対応し、ここでは中段サポート段１３２１と呼ぶ。
任意の中段サポート段１３２１を支点として見ると、中段サポート段１３２１から対応する弾動接点の間の弾動延伸部には、前段モーメントアームを形成し、中段サポート段１３２１から対応する固定部の間の弾動延伸部には、後段モーメントアームを形成する。
対応接続する過程で、任意の前段モーメントアームが圧力を受けた時、或いは圧力を受けた後、後段モーメントアームは開放式であるため、後段モーメントアームは反対方向突起を呈する。
後段モーメントアームが開放式とは、中段サポート段１３２１から対応する固定部の間の弾動延伸部の上方には、絶縁台体１１の圧迫が無いということで、このため、前段モーメントアームが力を受けると、同期に弾性変形する。
【００４７】
次に、相補的電気コネクター１０を絶縁台体１１の方向へと押し続けると、板体１２１は完全に相補的電気コネクター１０の連接槽１０４中に進入し、しかも下弾動接点１４１ａ〜１４１ｄは複数の連接インターフェース１０２とそれぞれ接触し、板体１２１は最終的に押されて、連接板１０１と接触する角度を変更する（図１２参照）。
こうして、下列端子１４ａ〜１４ｄと複数の連接インターフェース１０２の間の電気的連接を形成し、信号及び電力の伝送を行う。
反対に、相補的電気コネクター１０と下連接槽１６２とが対応接続する作動状況は同原理であるが、一部の構造の作動状況は反対である。
相補的電気コネクター１０の連接板１０１は、双方向両面電気コネクター１の上連接槽１６１に進入し、板体１２１は下方へと偏移し、しかも、上弾動接点１３１ａ〜１３１ｄは浮動舌板１２の外に露出し、下弾動接点１４１ａ〜１４１ｄはさらに複数の弾動端子槽１２１１中に進入する。
【００４８】
以下に三つ説明する。
第一に、下列端子１４ａ〜１４ｄは絶縁基台１１１の複数の中段サポート構造１１１１上に接触し、しかも上定位絶縁台１１２及び下定位絶縁台１１３は、下列端子１４ａ〜１４ｄを絶縁基台１１１上に固定する構造は、以下の長所を提供できる。
下弾動接点１４１ａ〜１４１ｄが連接板１０１に押される過程で、上述の構造により、下列端子１４ａ〜１４ｄが押され上方へと移動するモーメントアームが短縮される。
応用力学原理で知られるように、そのモーメントアームを短縮すると、下列端子１４ａ〜１４ｄと複数の上連接インターフェース１０２の間の接触力量を高められ、同時に、下列端子１４ａ〜１４ｄの弾性疲労を緩和できる。
【００４９】
第二に、下弾動接点１４１ａ〜１４１ｄが連接板１０１により押される過程において、下弾動接点１４１ａ〜１４１ｄは上方へと弾動接点１３１ａ〜１３１ｄの方向へと押され、上弾動接点１３１ａ〜１３１ｄに接近する。
但し、本発明の上弾動接点１３１ａ〜１３１ｄは、下弾動接点１４１ａ〜１４１ｄにより上方へと押されず、相補的電気コネクターと１０と接触しない。
その原因は、上列接触端子１３ａ〜１３ｄの上導斜面１３１１ａ〜１１３１ｄの設置方向と下列端子１４ａ〜１４ｄの下導斜面１４１１ａ〜１４１１ｄの設置方向とは異なるため、相互にずれるため、下弾動接点１４１ａ〜１４１ｄは、上列接触端子１３ａ〜１３ｄを上方へと押さず、上列接触端子１３ａ〜１３ｄと相補的電気コネクターと１０とが接触してショートが発生する状況を回避できるためである。
【００５０】
第三に、対応接続時には、浮動舌板１２の偏移により、上弾動接点１３１ａ〜１３１ｄは、浮動舌板１２の表面から離れる方向へと偏移する。
即ち、上弾動接点１３１ａ〜１３１ｄは浮動舌板１２の表面よりさらに低くなり、こうして上弾動接点１３１ａ〜１３１ｄが相補的電気コネクター１０の金属外ケース１０５に接触し、ショートを生じることをさらに確実に回避できる。
【００５１】
図１４、図１５は、それぞれ本発明による双方向両面電気コネクターの第二実施形態中において回路基板に溶接する構造前視模式図と側視立体模式図である。
第二実施形態の双方向両面電気コネクター２の構造及び作動原理は、第一実施形態の双方向両面電気コネクター１とおおよそ相同であるが、その差異は、外観サイズ構造及び上列接触端子１３ａ〜１３ｄと下列端子１４ａ〜１４ｄの接触ピン設置方式にある。
双方向両面電気コネクター２の接触ピンは、回路基板２７上に溶接する。
上接触ピン２３３ｄと下接触ピン２４３ａから見ると、双方向両面電気コネクター２の複数の上下接触ピンは、前後２列に配列され、それは前後に重なり、或いは前後にずれる２列の配列である。
図１５に示す通り、回路基板２７上には、コントロールチップ２８及び複数の電子部材２９を設置する。
コントロールチップ２８は、以下の少なくとも１個の機能を有する。
第一に、双方向両面電気コネクター２が受信した信号及び電力を管理し、しかもその信号及び電力を伝送できる。
第二に、サージ保護機能を備え、回路基板２７及び複数の電子部材２９を保護できる。
第三に、ショート防止機能を備え、ショート状況を回避或いは中和できる。
【００５２】
図１６、図１７、図１８は本発明による双方向両面電気コネクターの第三実施形態中の構造断面俯視模式図、構造前視模式図と構造断面模式図である。
双方向両面電気コネクター３は、絶縁台体３１、浮動舌板３２、複数の上列接触端子３３ａ〜３３ｉ、複数の下列端子３４ａ〜３４ｉ及び外ケース３５を有する。
第三実施形態の構造は、前述の実施形態とおおよそ相同であるので、両者の共通点については記載しない。
相違点について以下に記載する。
双方向両面電気コネクター３はＵＳＢ  ＴＹＰＥ-Ａ  ３．０の電気レセプタクルであるため、複数の上列接触端子３３ｅ〜３３ｉ及び複数の下列端子３４ｅ〜３４ｉを増設する。
上列接触端子３３ｅ〜３３ｉと下列端子３４ｅ〜３４ｉはフラット端子である。
【００５３】
図１６、図１７、図１８に示す通り、上列接触端子３３ｈを例として説明する。
上列接触端子３３ｈは、上固定接点３３１ｈ、弾片段３３２ｈ、湾曲屈折弾動部３３３ｈ及び上接触ピン３３４ｈを有する。
上固定接点３３１ｈは、浮動舌板３２の上表面上に固定され、しかも露出する。
弾片段３３２ｈは、前述の実施形態の弾性片１２２に置換され、浮動舌板３２及び絶縁台体３１の絶縁基台に連接され、しかも弾性を浮動舌板３２に提供し、これにより浮動舌板３２は上下に偏移する。
上接触ピン３３４ｈは、回路基板或いは導線に連接し、湾曲屈折弾動部３３３ｈは湾曲屈折構造で、弾片段３３２ｈの弾性を向上させる。
他の上列接触端子３３ｅ、３３ｆ、３３ｇ、３３ｉの構造は、上列接触端子３３ｈとおおよそ相同である。
例えば、それぞれ上固定接点３３１ｅ、３３１ｆ、３３１ｇ、３３１ｉを有し、及び上固定接点３３１ｅ、３３１ｆ、３３１ｉには、弾片段３３２ｅ、３３２ｆ、３３２ｉをそれぞれ一体に連接する。
ここでは例を挙げるだけで、これ以上の説明は行わない。
【００５４】
図１６、図１７、図１８に示す通り、上列接触端子３３ｈと上下に対応する下列端子３４ｆを例として説明する。
下列端子３４ｆは、下固定接点３４１ｆ、弾片段３４２ｆ、湾曲屈折弾動部３４３ｆ及び下接触ピン３４４ｆを有し、その構造は、上列接触端子３３ｈと相同であるため、これ以上の説明を行わない。
他の下列端子３４ｅ、３４ｇ、３４ｈ、３４ｉの構造もまた、上列接触端子３３ｈと同原理であるため、これ以上の説明を行わない。
【００５５】
簡単に言えば、本実施形態は、増設した５本の上列接触端子３３ｅ〜３３ｉ及び下列端子３４ｅ〜３４ｉを弾性片として使用し、弾性片の機能を、ＵＳＢ  ＴＹＰＥ-Ａ  ３．０接触端子中に統合し、こうして単一部材により２種の機能を提供する。
上列および下列フラット端子はそれぞれ５本であり、各列のフラット端子はＵＳＢ協会ＵＳＢ３．０ ／ ３．１規範に符合しており、中央が接地端子（ＧＮＤ）、両側が２対の信号端子（ＲＸ+、ＲＸ-、ＧＮＤ）である。２列の弾動接点は２列の固定接点の後ろにある。上下２列フラット端子の両側の２対の信号端子は、舌板の固定接点と弾動接触部との間の横方向隔絶ケージ構造３２５内に回転し、隣接して埋め込まれる。
【００５６】
特別に説明が必要な点は、上記の本発明による双方向両面電気コネクターは、ＵＳＢ  ＴＹＰＥ-Ａ  ２．０接触端子及びＵＳＢ  ＴＹＰＥ-Ａ  ３．０接触端子を採用するが、例示に過ぎず、これに限定するものではない。
実際、本発明による双方向両面電気コネクターは、ＵＳＢ  ＴＹＰＥ-Ａ  ３．１の接触端子を採用することもできる。
どの種の伝送インターフェースの接触端子であろうと、本発明による双方向両面電気コネクターの構造中に実施できるのであれば、本発明の発明精神に符合するものとして、本発明の保護範囲内に含まれる。
【００５７】
図１９、図２０は、それぞれ本発明による双方向両面電気コネクターの第四実施形態中の構造断面俯視模式図と構造断面模式図である。
双方向両面電気コネクター４は、絶縁台体４１、浮動舌板４２、複数の上列接触端子４３ａ〜４３ｄ、複数の下列端子４４ａ〜４４ｄ及び外ケース４５を有する。
次に、浮動舌板４２の板体４２１は、複数の弾性片４２２により、絶縁台体４１に連接される。
第四実施形態の構造は、前述の実施形態とおおよそ相同であるので、両者の共通点については記載しない。
相違点について以下に記載する。
第一実施形態の２列の接触端子は、二枚の金属材料により製造されるが、第四実施形態の上列接触端子４３ａ〜４３ｄ及び下列端子４４ａ〜４４ｄの構造は、単一の金属材料により製造され、しかも上列接触端子４３ａ〜４３ｄは、下列端子４４ａ〜４４ｄと、同一金属材料上で前後２列に展開配列して設置され、相互に重ならない。
よって、第四実施形態の上列接触端子４３ａ〜４３ｄ及び下列端子４４ａ〜４４ｄは、一枚の金属材料のみを使用するため、その製造コストを低下させられる。
次に、板体４２１の前縁については、上列接触端子４３ａ〜４３ｄは下列端子４４ａ〜４４ｄより内縮し、即ち下列端子４４ａ〜４４ｄは、板体４２１の前縁に比較的近い。
但し、両者はともに、対応接続時に、相補的電気コネクターと電気的連接を形成できる。
【００５８】
次に、本発明による双方向両面電気コネクターの異なる成形方式の製造状況について以下に説明する。  
図２１、図２２、図２３、図２４は本発明による双方向両面電気コネクターの、異なる製造プロセスを利用して成形する構造模式図である。
図２１は、浮動舌板の板体、複数の弾性片及び絶縁基台の組合せ構造を示し、それは複数の弾性片に対してインサート射出成形を行い、同時に、弾性片の両端に、板体及び絶縁基台を成形する。
この第一組合せ構造１７の後、第一実施形態中の上定位絶縁台１１２及び下定位絶縁台１１３の組み立て方式により、絶縁台体の構造を形成する。
【００５９】
図２２では、組み立て方式を採用し、板体、複数の弾性片及び絶縁基台を結合する。
先ず、複数の弾性片を、絶縁基台上に組み立て、第一組み立て構造４７を形成する。
次に、板体１２１及び複数の弾性片を結合し、最後に、上定位絶縁台１１２及び下定位絶縁台１１３の組み立て方式を使用し、絶縁台体の構造を形成する。
図２３では、異なる組み立て方式を採用する。
先ず、板体及び複数の弾性片を組み立て、第二組み立て構造３７を形成する。
次に、複数の弾性片及び絶縁基台１１１を結合する。
後続の絶縁台体の成形は、第一実施形態の組み立て方式の外に、インサート射出成形を行い、組み立て方式でない絶縁台体５１を形成することもできる。
こうして、組合せ構造は、双方向両面電気コネクター５上に応用され、絶縁台体５１は隙間を備えない（図２４及び図２５参照）。
【００６０】
上記を総合すると、本発明による双方向両面電気コネクターは、図２１〜図２３中の方式を利用し、板体、複数の弾性片及び絶縁基台を成形し、絶縁基台の後には、第一実施形態の組み立て方式及び図２４、図２５に示す二次インサート射出成形方式を利用し、絶縁台体を成形できる。
【００６１】
図２６〜図３９は本発明による双方向両面電気コネクターを電子デバイスに応用する構造模式図である。
本発明による双方向両面電気コネクターは、多種の電子デバイスに応用できる。
図２６では、双方向両面電気コネクターを有するノート型パソコン１９１に応用され、図２７では、双方向両面電気コネクターを有するタブレットＰＣ１９２に応用され、図２８では、双方向両面電気コネクターを有する延長コード双方向レセプタクル１９３に応用され、図２９では、双方向両面電気コネクターを有するＨｕｂ拡張器１９４に応用され、図３０では、双方向両面電気コネクターを有する家庭用スイッチレセプタクル／充電台１９５に応用され、図３１では、双方向両面電気コネクターを有する車載充電器１９６に応用され、図３２では、双方向両面電気コネクターを有するモバイルバッテリー１９７に応用される。
【００６２】
本発明の双方向両面電気コネクターはまた、アダプターケーブル１９８にも応用される。
図３３及び３４は異なる視角からの図である。
図３５では、スタッキング式の少なくとも２個の双方向両面電気コネクター１を重ねる電気コネクターのメスコネクター１９９に応用される。
図３６では、スタッキング式の２個の双方向両面電気コネクター１と単方向単面電気コネクターを重ねる電気コネクターのメスコネクター２９１に応用される。
図３７では、双方向両面ＵＳＢ  ＴＹＰＥ-Ａ  ２．０インターフェース７１とＨＤＭＩインターフェース７２を重ねるなど、混層式ともう１個の異なる連接インターフェースの電気コネクターを重ねる電気コネクターのメスコネクター２９２に応用される。
図３８では、双方向両面ＵＳＢ  ＴＹＰＥ-Ａ  ２．０インターフェース７１、ＨＤＭＩインターフェース７２及びＤｉｓｐｌａｙｐｏｒｔインターフェース７３を重ねるなど、混層式とまた別の２個の異なる連接インターフェースの電気コネクターを重ねる電気コネクターのメスコネクター２９３に応用される。
図３９では、双方向両面電気コネクター１を有する高架型電気コネクターのメスコネクター２９４に応用される。
図４０では、混層式ともう１個の異なる連接インターフェースの電気コネクターを重ねる高架型電気コネクターのメスコネクター２９５に応用される。
【００６３】
双方向両面電気コネクター６が、相補的電気コネクター６０と反対方向に対応接続する作動状況に関して、図４１、図４２、図４３に示す。
図４１、図４２、図４３は、それぞれ本発明による双方向両面電気コネクター６が、第五実施形態中の相補的電気コネクター６０と対応接続する過程の構造断面模式図である。
反対方向に対応接続する過程の基本作動原理は、図１０、１１、１２に示す第一実施形態の正方向対応接続とおおよそ相同であるため、ここでは説明しない。
【００６４】
図４４は、本発明による双方向両面電気コネクター８の第六実施形態の構造分解模式図である。
図２２、図２３に類似の組み立て製造プロセスを利用し、先ず板体８２１及び複数の弾性片８２２を組み立て、組み立て構造を形成し、絶縁基台１１１は絶縁台体８１中に結合される。
弾性片８２２を有する組み立て構造を、さらに絶縁基台８１１と組み立てた後に、複数の上列接触端子８３と複数の下列端子８４を組み立て、板体８２１と絶縁基台８１１に進入させ、最後に、外ケース８５を上述の組み立て体に挿入し、双方向両面電気コネクター８を形成する。
【００６５】
図４５は、本発明による双方向両面電気コネクター９の第七実施形態中の構造分解模式図である。
第七実施形態中の上列接触端子９１、下列端子９２と舌板組み立て構造９３の俯視模式図は、図４６、図４７、図４８に示す。
図４６、図４７に示す通り、上列接触端子９１の任意の上弾動接点の上導斜面９１１ａと、下列端子９２の任意の下弾動接点の下弾動接点の下導斜面９２１ａは、左右交差を呈する。
左右にずれた配列構造により、上列接触端子９１と下列端子９２の誤接触によるショートを回避できる。
各弾動端子槽には、隔絶ケージ９３１２を設置できる。
隔絶ケージ９３１２により、本発明の左右に交差する上弾動接点の上導斜面９１１ａと下弾動接点の下導斜面９２１ａとは、確実に接触ショートしない。
但し、本発明は隔絶ケージ９３１２を設置する貫通槽に限定するものではなく、隔絶ケージのない設計を使用することもできる。
【００６６】
図４９は、舌板組み立て構造９３の別種の立体視角模式図であり、図５０は、第七実施形態中の上列接触端子９１と下列端子９２が一体に重なる俯視模式図である。
図５１は、第七実施形態中の上列接触端子９１と下列端子９２が一体に重なる前視模式図である。
【００６７】
図５２及び図５３は、双方向両面電気コネクターを有するアダプター２９６の異なる視角図である。
【符号の説明】
【００６８】
１  双方向両面電気コネクター
１０  相補的電気コネクター
１０１  連接板
１０２  連接インターフェース
１０４  連接槽
１０５  外殼体
１１  絶縁台体
１１１  絶縁基台
１１１１  中段サポート構造
１１２  上定位絶縁台
１１３  下定位絶縁台
１２  浮動舌板
１２１  板体
１２１１  弾動端子槽
１２１２  貫通槽
１２２  弾性片
１２３  絶縁隔板
１３ａ、１３ｂ、１３ｃ、１３ｄ  上列接触端子
１３１ａ  上弾動接点
１３１１ａ  上導斜面
１３２ａ  上弾動延伸部
１３２１  中段サポート段
１３４ａ  上接触ピン
１３５ａ  定位構造
１４ａ、１４ｂ、１４ｃ、１４ｄ  下列端子
１４１ａ  下弾動接点
１４１１ａ、１４１１ｂ、１４１１ｃ、１４１１ｄ  下導斜面
１４２ａ  下弾動延伸部
１４４ａ  下接触ピン
１５  外殼体
１６１  上連接槽
１６２  下連接槽
１７  第一組合せ構造
１９１  ノート型パソコン
１９２  タブレットＰＣ
１９３  延長コード双方向レセプタクル
１９４  Ｈｕｂ拡張器
１９５  家庭用スイッチレセプタクル／充電台
１９６  車載充電器
１９７  モバイルバッテリー
１９９  電気コネクターのメスコネクター
２  双方向両面電気コネクター
２３３ｄ  上接触ピン
２４３ａ  下接触ピン
２７  回路基板
２８  コントロールチップ
２９  電子部材
２９１  重ねる電気コネクターのメスコネクター
２９２  重ねる電気コネクターのメスコネクター
２９３  重ねる電気コネクターのメスコネクター
２９４  高架型電気コネクターのメスコネクター
２９５  高架型電気コネクターのメスコネクター
２９６  アダプター
３  双方向両面電気コネクター
３１  絶縁台体
３２  浮動舌板
３２５  横方向隔絶ケージ構造
３３ａ、３３ｂ、３３ｃ、３３ｄ、３３ｅ、３３ｆ、３３ｇ、３３ｈ、３３ｉ  上列接触端子
３３１ｅ、３３１ｆ、３３１ｇ、３３１ｈ、３３１ｉ  上固定接点
３３２ｅ、３３２ｆ、３３２ｈ、３３２ｇ、３３２ｉ  弾片段
３３３ｈ  湾曲屈折弾性部
３３４ｈ  上接触ピン
３４ａ、３４ｂ、３４ｃ、３４ｄ、３４ｅ、３４ｆ、３４ｇ、３４ｈ、３４ｉ  下列端子３４１ｆ  下固定接点
３４２ｆ  弾片段
３４３ｆ  湾曲屈折弾性部
３４４ｆ  下接触ピン
３５  外殼体
３７  第二組み立て構造
４  双方向両面電気コネクター
４１  絶縁台体
４２  浮動舌板
４２１  板体
４２２  弾性片
４３ａ、４３ｂ、４３ｃ、４３ｄ  上列接触端子
４４ａ、４４ｂ、４４ｃ、４４ｄ  下列端子
４３２  上／下弾動延伸部
４５  外殼体
４７  第一組み立て構造
５  双方向両面電気コネクター
６  双方向両面電気コネクター
６０  相補的電気コネクター
７１  双方向両面ＵＳＢ  ＴＹＰＥ-Ａ  ２．０インターフェース
７２  ＨＤＭＩインターフェース
７３  Ｄｉｓｐｌａｙｐｏｒｔインターフェース
８  双方向両面電気コネクター
８１  絶縁台体
８１１  絶縁基台
８２１  板体
８２２  弾性片
８３  上列接触端子
８４  下列端子
８５  外殼体
９  双方向両面電気コネクター
９１  上列接触端子
９１１ａ  上導斜面
９２  下列端子
９２１ａ  下導斜面
９３  舌板組み立て構造
９３１２  隔絶ケージ
【手続補正２】
【補正対象書類名】特許請求の範囲
【補正対象項目名】全文
【補正方法】変更
【補正の内容】
【特許請求の範囲】
【請求項１】
双方向両面電気コネクターであって、外ケース、絶縁台体、舌板、２つの連接インターフェースを有し、 前記舌板は、前記絶縁台体の前端に設置され、前記舌板は前記外ケースに包まれ、前記外ケース中の連接槽を形成し、前記舌板は、前記連接槽の中段に上下に移動するように浮動状に設置され、上、下連接槽を形成し、前記舌板の上板面は前記上連接槽に面し、前記舌板の下板面は前記下連接槽に面し、
前記２つの連接インターフェースは、それぞれ前記上、下連接槽に面し、各前記連接インターフェースは、１列の接触端子によって提供される複数の弾動接点を有し、前記少なくとも１列の接触端子のうちの任意の接触端子は、任意の前記弾動接点、弾動延伸部、固定部及び接触ピンを有し、前記弾動接点は、前記弾動延伸部の前端に設置され、前記弾動延伸部と前記接触ピンは、前記固定部の前端と後端にそれぞれ設置され、前記弾動延伸部および前記接触ピンは、それぞれ前記固定部の前端および後端に配置され、前記複数の接触ピンは、前記絶縁台体外に伸び出し、前記２列の接触端子の前記複数の弾性接触点は、互いに垂直方向に対向しおり、そして、前記複数の弾動接点は、前記舌板の上板面の最凸面および下板面の最凸面から突出していないことを特徴とする、双方向両面電気コネクター。
【請求項２】
双方向両面電気コネクターであって、外ケース、絶縁台体、舌板、２つの連接インターフェース、中空区を有し、
前記舌板は、前記絶縁台体の前端に設置され、前記舌板は前記外ケースに包まれ、前記外ケース中の連接槽を形成し、前記舌板は、前記連接槽の中段に上下に移動するように浮動状に設置され、上、下連接槽を形成し、前記舌板の上板面は前記上連接槽に面し、前記舌板の下板面は前記下連接槽に面し、
前記２つの連接インターフェースは、それぞれ前記上、下連接槽に面し、各前記連接インターフェースは、１列の接触端子によって提供される複数の弾動接点を有し、前記少なくとも１列の接触端子のうちの任意の接触端子は、任意の前記弾動接点、弾動延伸部、固定部及び接触ピンを有し、前記弾動接点は、前記弾動延伸部の前端に設置され、前記弾動延伸部と前記接触ピンは、前記固定部の前端と後端にそれぞれ設置され、前記弾動延伸部および前記接触ピンは、それぞれ前記固定部の前端および後端に配置され、前記複数の接触ピンは、前記絶縁台体外に伸び出し、
前記中空区は、前記舌板と前記絶縁台体との間に配置され、前記舌板と前記絶縁台体は分離式であり、前記中空区は、前記舌板と前記絶縁台体とを接続する複数の金属弾片を備えていることを特徴とする、双方向両面電気コネクター。
【請求項３】
双方向両面電気コネクターであって、外ケース、絶縁台体、舌板、２つの連接インターフェース、を有し、
前記舌板は、前記絶縁台体の前端に設置され、前記舌板は前記外ケースに包まれ、前記外ケース中の連接槽を形成し、前記舌板は、前記連接槽の中段に上下に移動するように浮動状に設置され、上、下連接槽を形成し、前記舌板の上板面は前記上連接槽に面し、前記舌板の下板面は前記下連接槽に面し、
前記２つの連接インターフェースは、それぞれ前記上、下連接槽に面し、各前記連接インターフェースは、１列の接触端子によって提供される複数の弾動接点を有し、前記少なくとも１列の接触端子のうちの任意の接触端子は、任意の前記弾動接点、弾動延伸部、固定部及び接触ピンを有し、前記弾動接点は、前記弾動延伸部の前端に設置され、前記弾動延伸部と前記接触ピンは、前記固定部の前端と後端にそれぞれ設置され、前記弾動延伸部および前記接触ピンは、それぞれ前記固定部の前端および後端に配置され、前記複数の接触ピンは、前記絶縁台体外に伸び出し、前記２列の接触端子の前記複数の弾動接点は、上下に対向しており、かつ上下に重なった位置関係を有し、そして、前記上下に重なった位置関係を有する前記２列の弾性接点と前記連接槽の１つの挿入口との間の距離は等距離であることを特徴とする、双方向両面電気コネクター。
【請求項４】
双方向両面電気コネクターであって、外ケース、絶縁台体、舌板、２つの連接インターフェースを有し、
前記舌板は、前記絶縁台体の前端に設置され、前記舌板は前記外ケースに包まれ、前記外ケース中の連接槽を形成し、前記舌板は、前記連接槽の中段に上下に移動するように浮動状に設置され、上、下連接槽を形成し、前記舌板の上板面は前記上連接槽に面し、前記舌板の下板面は前記下連接槽に面し、前記舌板は、前段が厚い凸部であり、後段が徐々に縮小する構造である板体を有し、
前記２つの連接インターフェースは、それぞれ前記上、下連接槽に面し、各前記連接インターフェースは、１列の接触端子によって提供される複数の弾動接点を有し、前記少なくとも１列の接触端子のうちの任意の接触端子は、任意の前記弾動接点、弾動延伸部、固定部及び接触ピンを有し、前記弾動接点は、前記弾動延伸部の前端に設置され、前記弾動延伸部と前記接触ピンは、前記固定部の前端と後端にそれぞれ設置され、前記弾動延伸部および前記接触ピンは、それぞれ前記固定部の前端および後端に配置され、前記複数の接触ピンは、前記絶縁台体外に伸び出し、前記２列の接触端子の前記複数弾動接点は、それぞれ上下に対向してかつ前記上下連接槽にそれぞれ対向し、前記凸部の後方に配置されていることを特徴とする、双方向両面電気コネクター。
【請求項５】
請求項１〜４の任意の一項に記載の双方向両面電気コネクターの電気レセプタクルであって、前記２個の連接インターフェースは、ＵＳＢ  Ａ  ＴＹＰＥ  ２．０規範或いはＵＳＢ  Ａ  ＴＹＰＥ  ３．０規範或いはＵＳＢ  Ａ  ＴＹＰＥ  ３．１規範に符合し、しかも前記２列の接触ピンは単列、前後に交差する２列、或いは前後に重なる２列の配列方式で、前記絶縁台体外に伸び出すことを特徴とする、請求項１〜４の任意の一項に記載の双方向両面電気コネクターの電気レセプタクル。
【請求項６】
請求項１〜４の任意の一項に記載の双方向両面電気コネクターの電気レセプタクルであって、前記複数の固定部は、前記絶縁台体中に埋設或いは組み立てて定位されることを特徴とする、請求項１〜４の任意の一項に記載の双方向両面電気コネクターの電気レセプタクル。
【請求項７】
請求項１〜４の任意の一項に記載の双方向両面電気コネクターの電気レセプタクルであって、前記舌板と前記絶縁台体の間には、中空区が存在し、前記２列の接触端子の前記複数の弾動延伸部は、前記中空区に設置されることを特徴とする、請求項１〜４の任意の一項に記載の双方向両面電気コネクターの電気レセプタクル。
【請求項８】
請求項１〜４の任意の一項に記載の双方向両面電気コネクターの電気レセプタクルであって、前記舌板前端と前記連接槽の挿入口の距離は、ＵＳＢ協会ＵＳＢ２．０ＡＴＹＰＥメス台の標準規範より大きいことを特徴とする、請求項１〜４の任意の一項に記載の双方向両面電気コネクターの電気レセプタクル。
【請求項９】
請求項１〜４の任意の一項に記載の双方向両面電気コネクターの電気レセプタクルであって、前記２列の接触端子は回路シリアル番号に基づき、反対方向に配列し、前記回路シリアル番号は、電源、信号Ｄ＋、信号Ｄ-、接地を含むことを特徴とする、請求項１〜４の任意の一項に記載の双方向両面電気コネクターの電気レセプタクル。
【請求項１０】
請求項１〜４の任意の一項に記載の双方向両面電気コネクターの電気レセプタクルであって、前記舌板の上下両側に設置され、ＵＳＢ  Ａ  ＴＹＰＥ  ３．０規範或いはＵＳＢ  Ａ  ＴＹＰＥ  ３．１規範に符合する２列のフラット端子をさらに有し、  前記２個の連接インターフェースは、ＵＳＢ  Ａ  ＴＹＰＥ  ２．０規範に符合し、前記２列のフラット端子の複数の固定接点は、前記舌板の上下表面に固定され、しかも露出し、しかも前記２列のフラット端子は、前記舌板と前記絶縁台体に連接され、前記舌板と前記絶縁台体は分離式で、前記２列のフラット端子の延伸部は、前記舌板と前記絶縁台体の間に設置される弾動延伸部であることを特徴とする、請求項１〜４の任意の一項に記載の双方向両面電気コネクターの電気レセプタクル。
【請求項１１】
請求項１〜４の任意の一項に記載の双方向両面電気コネクターの電気プラグであって、前記舌板の上下両側に設置され、ＵＳＢ  Ａ    ３．０規範或いはＵＳＢ  Ａ  ｔｙｐｅ  ３．１規範に符合する２列のフラット端子をさらに有し、
前記２個の連接インターフェースは、ＵＳＢ  Ａ  ＴＹＰＥ  ２．０規範に符合し、前記２列のフラット端子は、前記舌板と前記絶縁台体に連接し、前記舌板と前記絶縁台体は分離式で、前記２列のフラット端子の延伸部は、前記舌板と前記絶縁台体間に設置される弾動延伸部であることを特徴とする、請求項１〜４の任意の一項に記載の双方向両面電気コネクターの電気レセプタクル。
【請求項１２】
請求項１〜１１の任意の一項に記載の双方向両面電気コネクターであって、
ａ．前記２列の弾動接点が相同で、しかも相対して揃う弾動接触インターフェースで、  ｂ．前記浮動舌板上下両側の弾動接点は、前記浮動舌板に、浮動状に設置或いは伏せて設置或いは陥没状に設置し、
ｃ．前記少なくとも１列の接触端子の固定部は、前記絶縁台体中に埋設或いは組み立てられて定位され、
ｄ．双方向両面ＵＳＢ  Ａ  ＴＹＰＥメス台のメス台の上下信号接触端子の接触部及び延伸部は、前記接地及び電源接触端子の幅より狭く、
ｅ．さらに対応接続電気コネクターを設置し、前記対応接続電気コネクターには連接板を設置し、前記連接板の少なくとも１個の面には、少なくとも１列の接触端子連接インターフェースを設置し、前記対応接続電気コネクターが対応接続挿入する時、前記対応接続電気コネクターの連接板は、前記連槽中段に浮動状に設置される浮動舌板を押して上下に偏移させ、これにより前記浮動舌板上下両側の内の片側に浮動状に設置される弾動接点は、前記相対偏移する浮動舌板面に突出して露出し、弾動接点は突出し高度差を呈し、これにより前記突出した弾動接点と対応接続して挿入する連接インターフェースは、弾性で押されて電気的に連接し、
ｆ．さらに対応接続電気コネクターを設置し、前記対応接続電気コネクターには連接板を設置し、前記連接板の少なくとも１個の面には、少なくとも１列の接触端子連接インターフェースを設置し、前記対応接続電気コネクターが対応接続挿入する時、前記対応接続電気コネクターの連接板は、前記連槽中段に浮動状に設置される浮動舌板を押して上下に偏移させ、これにより前記浮動舌板上下両側の内の片側に浮動状に設置される弾動接点は前記相対偏移する浮動舌板面に内縮して陥没し、弾動接点は陥没して高度差を呈し、これにより前記対応接続電気コネクターの連接槽金属殼と前記浮動舌板面に内縮して陥没する前記弾動接点は、安全な間隔距離を保持し接触せず、
ｇ．前記浮動舌板には複数の弾動端子槽を設置し、前記各弾動端子槽は前記上接触端子及び前記下接触端子に対応し、前記弾動端子槽には、相互に対応する前記上接触端子及び前記下接触端子の一部分を收納し、しかも前記複数の上接触端子及び前記複数の下接触端子が、垂直方向に沿ってのみスイングするように制限し、
ｈ．中空区を有し、前記中空区は、前記舌板と前記絶縁台体との間に配置され、前記舌板と前記絶縁台体は分離式であり、前記中空区は、前記舌板と前記絶縁台体とを接続する複数の金属弾片を備えて、
ｉ．前記２列の接触端子の前記複数弾動接点は、それぞれ上下に対向してかつ前記上下連接槽にそれぞれ対向し、前記凸部の後方に配置されて、
ｊ．前記２列の接触端子の前記複数の弾性接触点は、互いに垂直方向に対向しおり、そして、前記複数の弾動接点は、前記舌板の上板面の最凸面および下板面の最凸面から突出していなくて、
ｋ．前記浮動舌板両側には、相対して重なる２個の上下弾動接点を設置し、前記上下弾動接点の２個の導斜面は左右に交差し、左右の位置がずれた配列構造で、
ｌ．前記浮動舌板は上下弾動区間に上下接触部が左右にずれた貫通槽或いは分隔板構造を設置し、
ｍ．前記２列の接触端子の前記複数の弾動接点は、上下に対向しており、かつ上下に重なった位置関係を有し、そして、前記上下に重なった位置関係を有する前記２列の弾性接点と前記連接槽の１つの挿入口との間の距離は等距離であり、
ｎ．前記浮動舌板の上下２面には、水滴矢印型の防ショート絶縁構造を設置し、
ｏ．前記双方向コネクターはＡ  ＴＹＰＥ  ＵＳＢ  ２．０／３．０／３．１接触インターフェースのレセプタクルで、
ｐ．前記２列の接触端子はそれぞれ４つの端子を有し、すなわち電源端子、信号Ｄ ＋端子、信號D-端子および接地端子であり、また、前記舌板の前記上、下板面に配置され、ＵＳＢＡタイプ３．０規範またはＵＳＢ Ａタイプ３．１規範に符合する２列のフラット端子をさらに備え、前記２列のフラット端子の複数の固定接点は、前記舌板の上下面に固定され露出され、前記2列のフラット端子はそれぞれ５つで、各列のフラット端子は中央に接地端子を持ち、両側に２対の信号端子を持ち、前記２列の弾動接点は前記２列の固定接点の後ろにあり、前記上列と下列のフラット端子の両側にある２対の信号端子は、前記上下２列フラット端子の両側にある前記２対の信号端子は、前記舌板の固定接点の列と弾動接点の列との間の横方向隔絶ケージ構造に回転し、かつ隣接して埋設され、
ｑ．また、前記舌板の上下板面に配置され、ＵＳＢ Ａタイプ３．０規範またはＵＳＢ Ａタイプ３．１規範に符合する２列のフラット端子をさらに備え、
前記２列のフラット端子の複数固定接点は、前記舌板の上下面に固定され露出され、前記２列の固定接点は５つを有し、それぞれRX +、RX-、GND、TX +、TX-であり、前記２列の弾動接点はそれぞれ４つの電源、信号D+、D-、および接地であり、前記弾動接点の列は前記固定接点の列の後ろにあり、２つはＵＳＢ  ３．０／３．１接触インターフェースを形成し、
ｒ．前記２列の接触端子はそれぞれ４つの端子を有し、すなわち電源端子、信号Ｄ ＋端子、信號D-端子および接地端子であり、また、前記舌板の前記上、下板面に配置され、ＵＳＢ
Ａタイプ３．０規範またはＵＳＢ Ａタイプ３．１規範に符合する２列のフラット端子をさらに備え、前記２列のフラット端子の複数の固定接点は、前記舌板の上下面に固定され露出され、前記2列のフラット端子はそれぞれ５つで、各列のフラット端子は中央に接地端子を持ち、両側に２対の信号端子を持ち、前記２列の弾動接点は前記２列の固定接点の後ろにあり、前記２列のフラット端子と前記舌板は射出成形で成形され、横方向隔絶ケージ構造が、前記舌板の前記上下板面にある前記固定接点の列と弾動接点の列との間に配置され、
ｓ．前記浮動舌板正／反対両面の上下２列のフラット接触端子と絶縁舌板は一次埋設され、前記浮動舌板正／反対両面の上下２面の前記舌板の５個のフラット接点と４個の弾動接点の間には、横方向隔絶ケージ構造を設置し、
ｔ．前記正／反対両面電気コネクターのメスコネクターは水平式、側立式、直立式或いはスタッキング層或いは異なる連接インターフェースを重ねた構造で、しかも２列或いは１列の水平接触ピン或いは前後２列で前列が水平で後列が垂直な挿入ピンで、
u．前記正／反対両面電連接オス台或いはメス台は、ＨＵＢ拡張器或いは充電バンク／充電器／モバイルバッテリー或いはポータブルディスク／Ｕテーブル／Ｑ１０／モバイルハードディスク等のアダプターデバイス或いは他の電子デバイスに応用できることを特徴とする、請求項１〜１１の任意の一項に記載の双方向両面電気コネクター。
【請求項１３】
請求項１〜１１の任意の一項に記載の双方向両面電気コネクターであって、前記舌板と前記複数の弾動接点はそれぞれ独立して作動することを特徴とする、請求項１〜１１の任意の一項に記載の双方向両面電気コネクター。
【請求項１４】
請求項１〜１１の任意の一項に記載の双方向両面電気コネクターであって、前記絶縁台体の前縁には、少なくとも１つの中段サポート絶縁構造が設けられ、前記中段サポート絶縁構造と任意の前記弾動延伸部とは垂直方向に重なっており、あるいは、前記弾動延伸部のいずれかが、前記絶縁台体に露出している中段サポート段を有し、またはいずれかの前記弾動延伸部が、前記絶縁台体に露出した中段サポート段を有し、そして、前記絶縁台体の前縁の中段サポート絶縁構造とは垂直に重なっていることを特徴とする、請求項１〜１１の任意の一項に記載の双方向両面電気コネクター。
【手続補正３】
【補正対象書類名】図面
【補正対象項目名】全図
【補正方法】変更
【補正の内容】
【図１】
2018521470.tif 000001
【図２】
2018521470.tif 000002
【図３】
2018521470.tif 000003
【図４】
2018521470.tif 000004
【図５】
2018521470.tif 000005
【図６】
2018521470.tif 000006
【図７】
2018521470.tif 000007
【図８】
2018521470.tif 000008
【図９】
2018521470.tif 000009
【図１０】
2018521470.tif 000010
【図１１】
2018521470.tif 000011
【図１２】
2018521470.tif 000012
【図１３】
2018521470.tif 000013
【図１４】
2018521470.tif 000014
【図１５】
2018521470.tif 000015
【図１６】
2018521470.tif 000016
【図１７】
2018521470.tif 000017
【図１８】
2018521470.tif 000018
【図１９】
2018521470.tif 000019
【図２０】
2018521470.tif 000020
【図２１】
2018521470.tif 000021
【図２２】
2018521470.tif 000022
【図２３】
2018521470.tif 000023
【図２４】
2018521470.tif 000024
【図２５】
2018521470.tif 000025
【図２６】
2018521470.tif 000026
【図２７】
2018521470.tif 000027
【図２８】
2018521470.tif 000028
【図２９】
2018521470.tif 000029
【図３０】
2018521470.tif 000030
【図３１】
2018521470.tif 000031
【図３２】
2018521470.tif 000032
【図３３】
2018521470.tif 000033
【図３４】
2018521470.tif 000034
【図３５】
2018521470.tif 000035
【図３６】
2018521470.tif 000036
【図３７】
2018521470.tif 000037
【図３８】
2018521470.tif 000038
【図３９】
2018521470.tif 000039
【図４０】
2018521470.tif 000040
【図４１】
2018521470.tif 000041
【図４２】
2018521470.tif 000042
【図４３】
2018521470.tif 000043
【図４４】
2018521470.tif 000044
【図４５】
2018521470.tif 000045
【図４６】
2018521470.tif 000046
【図４７】
2018521470.tif 000047
【図４８】
2018521470.tif 000048
【図４９】
2018521470.tif 000049
【図５０】
2018521470.tif 000050
【図５１】
2018521470.tif 000051
【図５２】
2018521470.tif 000052
【図５３】
2018521470.tif 000053